(57)【要約】【課題】スキー操作時の優れた操作性が得られ、足首や膝等にかかる負担を軽減できるようにする【解決手段】右側のトウプレート１ａとヒールプレート１ｂの互いの対向面３ａと３ｂを右足の各指の関節の配列と同様の曲線を描くように形成すると共に、左側（左足用）のトウプレート１ａとヒールプレート１ｂの互いの対向面４ａと４ｂは左足の各指の関節の配列と同様の曲線を描くように形成し、かつトウプレート１ａ、２ａとヒールプレート１ｂ、２ｂは、トウプレート１ａ、２ａの後端部上に親指の指先９が乗り、ヒールプレート１ｂ、２ｂの先端部上に親指付け根の付近の母子球１０の部分が乗るような間隔としてスキー板上に固定する。【選択図】図１
2008036212.tif 000002
【特許請求の範囲】
【請求項１】
前後に２分割され、左右それぞれの前部側をトウプレート、後部側をヒールプレートとした、合計４枚のプレートによって構成され、
前記トウプレートとヒールプレートの互いの対向面を、それぞれの内側端が前、外側端が後の位置関係になるように形成し、
かつ前記トウプレートとヒールプレートを、互いの対向面の間に所定の間隔をあけてスキー板上に固定することを特徴とするスキー用プレート。
【請求項２】
請求項１に記載のスキー用プレートにおいて
右足用のトウプレートとヒールプレートの互いの対向面を右足の各指の関節の配列に習って同様の曲線を描くように形成すると共に、左足用のトウプレートとヒールプレートの互いの対向面は左足の各指の関節の配列に習って同様の曲線を描くように形成することで、前記トウプレートとヒールプレートの互いの対向面を、それぞれの内側端が前、外側端が後の位置関係になるように形成したことを特徴とするスキー用プレート。
【請求項３】
請求項１に記載のスキー用プレートにおいて
右足用のトウプレートとヒールプレートの互いの対向面を右足の各指の関節の配列に従って斜めの直線を描くように形成すると共に、左足用のトウプレートとヒールプレートの互いの対向面は左足の各指の関節の配列に従って斜めの直線を描くように形成することで、前記トウプレートとヒールプレートの互いの対向面を、それぞれの内側端が前、外側端が後の位置関係になるように形成したことを特徴とするスキー用プレート。
【請求項４】
請求項１〜請求項３のいずれか１項に記載のスキー用プレートにおいて
前記トウプレートとヒールプレートの対向面間の間隔は、トウプレートの後端部上に親指の指先が乗り、ヒールプレートの先端部上に親指付け根の付近の母子球が乗る間隔とすることを特徴とするスキー用プレート。
【発明の詳細な説明】
【技術分野】
【０００１】
本発明は、スキー板上に固定されるプレートに関するものである。
【背景技術】
【０００２】
スキー板上にスキー靴を固定する場合、通常ビンディングと称する固定具が使用される。
スキー競技、特にアルペン種目では、選手がターンするとき、スキー板のエッジを雪面に曲線状に食い込ませることでスピードを落とすことなく横滑りを防止しているが、このように横滑りを防止しながら滑走するには、スキー靴をスキー板の板面より１〜２ｃｍ程度高い位置に固定する必要があり、そのためスキー板上にプラスチックあるいは金属製のプレートを固定し、このプレート上に前記の固定具を取り付けている。
【０００３】
しかしながらこの種のスキー用プレートはヨーロッパ諸国で生産されたものが多く、欧米人の体力に合わせて作られているため、日本人が使うには剛性が高過ぎるきらいがあり、そのため、日本人が使用すると、スキー板を思うように操作（コントロール）できず、また足首やひざ等に大きな負担がかかることになる。
そこで、日本人向けに以下のようなスキー用プレートが提案されている。
【０００４】
このスキー用プレートは、前端側を回転節点を介してスキー板上に取付け、後端側を前後方向にスライド可能な回転節点を介してスキー板上に取付けるもので、荷重によるスキー板の撓みを前後の回転節点の角度変化と、後端側の回転節点のスライドにより許容するものとなっている（例えば、特許文献１参照）。
【特許文献１】特開２００１−７０４９６（段落「０００４」、図１、２）
【発明の開示】
【発明が解決しようとする課題】
【０００５】
しかしながら、上述した従来のプレート板では、スキー板が前後方向において撓み易くなるものの、プレート板そのものの剛性は高いので、荷重は前部側と後部側の２つの回転節点に分散してと必ずしも十分な操作性は得られず、またスキー板の幅方向の捻れ力に対しては緩衝性が殆どないので、足首やひざ等にかかる負担の緩和に対して顕著な効果は期待できないという問題がある。
【０００６】
本発明は、このような問題を解決することを課題とする。
【課題を解決するための手段】
【０００７】
そのため、本発明のスキー用プレートは、前後に２分割され、左右それぞれの前部側をトウプレート、後部側をヒールプレートとした、合計４枚のプレートによって構成され、右足用のトウプレートとヒールプレートの互いの対向面を右足の各指の関節の配列と同様の曲線を描くように形成すると共に、左足用のトウプレートとヒールプレートの互いの対向面は左足の各指の関節の配列と同様の曲線を描くように形成し、かつ前記トウプレートとヒールプレートを、互いの対向面の間に所定の間隔をあけてスキー板上に固定することを特徴とする。
【発明の効果】
【０００８】
このようにした本発明は、左右両足とも母子球の部分がヒールプレート先部の真上に乗ることになるためスキー操作時の加重のポイントが１点になって最も効率よく働き、また、トウプレートの後端部内側に親指の指先が乗るので、スキーの舵取り操作を用意かつ確実に行うことが可能になり、スキー操作時の優れた操作性が得られると共に、トウプレートとヒールプレートの間の隙間の部分で撓みや捩れ力を緩衝できるので足首や膝等にかかる負担を軽減することができるという効果が得られる。
【発明を実施するための最良の形態】
【０００９】
以下、図面を参照して本発明によるスキー用プレートの実施例を説明する。
【実施例】
【００１０】
図１は第１の実施例を示す平面図である。
この図に示したように第１の実施例のスキー用プレートは、前後に２分割され、左右それぞれの前部側をトウプレート１ａと２ａ、後部側をヒールプレート１ｂと２ｂとした、合計４枚のプレート１ａ、１ｂ、２ａ、２ｂによって構成され、それぞれポリカーボネイトやナイロンガラス繊維入り等の樹脂あるいはアルミ等の軽金属により形成されている。
【００１１】
そして、右側（右足用）のトウプレート１ａとヒールプレート１ｂの互いの対向面３ａと３ｂは、上から見て右足の各指の関節の配列に倣って同様の曲線を描く形状に形成され、同様に左側（左足用）のトウプレート１ａとヒールプレート１ｂの互いの対向面４ａと４ｂも、上から見て左足の各指の関節の配列に倣って同様の曲線を描く形状に形成されており、これによりトウプレート１ａと２ａとヒールプレート１ｂと２ｂの互いの対向面を、それぞれの内側端が前、外側端が後の位置関係になるように形成されている。
【００１２】
つまり、トウプレート１ａ、２ａは内側（インサイド）が外側（アウトサイド）より短く、かつヒールプレート１ｂ、２ｂとの対向面が各指の関節の配列に倣って曲面を描く形状に形成され、ヒールプレート１ｂ、２ｂは内側（インサイド）が外側（アウトサイド）より長く、かつトウプレート１ａ、２ａとの対向面が各指の関節の配列に倣って曲面を描く形状に形成されており、こうすることによって右側のトウプレート１ａ及びヒールプレート１ｂと左側のトウプレート２ａ及びヒールプレート２ｂは軸対称を成すが、各プレート単体では左右非対称の構造になっている。
【００１３】
尚、トウプレート１ａと２ａの先端５、６はそれぞれ中央を突出させた山形等の形状に形成されており、ヒールプレート１ｂ、２ｂの後端７、８は直線状に形成されている。
このような構成による第１の実施例は、トウプレート１ａとヒールプレート１ｂを図示しない右足用のスキー板にボルト及びナット等により固定し、トウプレート２ａとヒールプレート２ｂを図示しない左足用のスキー板にボルト及びナット等により固定すると共に、トウプレート１ａ、２ａにスキー靴のつま先側を固定する前部ビンディング取り付け、ヒールプレート１ｂ、２ｂにスキー靴の踵側を固定する後部ビンディングを取り付けて使用する。
【００１４】
図２はこの場合の、スキー用プレートと足との関係を示す図で、（ａ）は平面図、（ｂ）は側面図であり、ここでは右足を例にし、スキー靴及び前後のビンディングを省略して図示している。
トウプレート１ａとヒールプレート１ｂは、互いの対向面３ａと３ｂ間に所定の間隔をあけてスキー板上に固定するが、その間隔としては、スキー靴及び前後のビンディング固定されたとき、この図に示したようにトウプレート１ａの後端部上に各足指の指先、特に親指の指先９が乗り、ヒールプレート１ｂの先端部上に親指付け根の付近の母子球１０の部分が乗るような間隔とする。
【００１５】
トウプレート２ａとヒールプレート２ｂも、互いの対向面４ａと４ｂ間が同様の間隔となるようにする。
このようにトウプレート１ａ、２ａとヒールプレート１ｂ、２ｂを左右のスキー板上に固定し、前後のビンディングを固定して使用した場合、左右両足とも足裏の母子球１０の部分がヒールプレート１ｂ、２ｂ先部の真上に乗ることになるため、スキー操作時の加重のポイントが１点になって最も効率よく働き、また、トウプレート１ａ、２ａの後端部内側（インサイド）に親指の指先が乗るので、スキーの舵取り操作を用意かつ確実に行うことが可能になり、優れた操作性が得られることになる。
【００１６】
また、滑走中の雪面の凹凸やターン等によってトウプレート１ａ、２ａとヒールプレート１ｂ、２ｂに加わる力に対しては、トウプレート１ａ、２ａとヒールプレート１ｂ、２ｂ間の隙間の部分でスキー板が撓むことで緩衝されるが、トウプレート１ａ、２ａとヒールプレート１ｂ、２ｂ間の隙間の部分には、スキー板の撓み対して自由に動く足指の関節部分（中節骨、基節骨部分）が乗っており、かつトウプレート１ａ、２ａの後端外側とヒールプレート２ａ、２ｂの先端内側が互いに対向面側に入り込んでいることにより、スキー板が撓み過ぎないように抑制されることになり、これらの相乗作用により足首や膝等にかかる負担を軽減することができる。
【００１７】
更に、ターン時等に加わる捩れ力に対してもトウプレート１ａ、２ａとヒールプレート１ｂ、２ｂ間の隙間の部分でスキー板が捩れねじれることで緩衝されるが、撓みの場合と同様に捩れが抑制されるので、足首や膝等にかかる負担を軽減することができる。
尚、トウプレート１ａ、２ａの先端５６はそれぞれは中央を突出させた山形等の形状に形成されているため、先端部が直線的な形状の場合に比べてスキー板前部の撓み量を抑制することができる。
【００１８】
以上説明した実施例によると、右側のトウプレート１ａとヒールプレート１ｂの互いの対向面３ａと３ｂを右足の各指の関節の配列に倣って同様の曲面を描くように形成すると共に、左側（左足用）のトウプレート１ａとヒールプレート１ｂの互いの対向面４ａと４ｂは左足の各指の関節の配列に倣って同様の曲線を描くように形成し、かつトウプレート１ａ、２ａとヒールプレート１ｂ、２ｂは、トウプレート１ａ、２ａの後端部上に親指の指先９が乗り、ヒールプレート１ｂ、２ｂの先端部上に親指付け根の付近の母子球１０の部分が乗るような間隔をあけてスキー板上に固定するようにしているため、スキー操作時の優れた操作性が得られると共に、トウプレート１ａ、２ａ１ｂとヒールプレート１ｂ、２ｂの間の隙間の部分で撓みや捩れ力を緩衝できるので足首や膝等にかかる負担を軽減することができるという効果が得られる。
【００１９】
図３は第２の実施例を示す平面図である。
この第２の実施例のスキー用プレートは、右側（右足用）のトウプレート１ａとヒールプレート１ｂの互いの対向面３ａと３ｂは、上から見て右足の各指の関節の配列に従って斜めの直線を描く形状に形成され、同様に左側（左足用）のトウプレート１ａとヒールプレート１ｂの互いの対向面４ａと４ｂも、上から見て左足の各指の関節の配列に従って斜めの直線を描く形状に形成されており、これによりトウプレート１ａと２ａとヒールプレート１ｂと２ｂの互いの対向面を、それぞれの内側端が前、外側端が後の位置関係になるように形成されている。
【００２０】
このような構成による第２の実施例でも、第１の実施例と同様にトウプレート１ａ、２ａとヒールプレート１ｂ、２ｂをそれぞれ左右のスキー板に固定し、同様に前後のビンディングを取り付けて使用するで、第１の実施例と同様の効果が得られる。
尚、トウプレート１ａ、２ａとヒールプレート１ｂ、２ｂの固定間隔は上述した第１、第２の実施例に限られるものではない。
【００２１】
例えば、回転（スラローム）競技では、回転半径の小さい右回りと左回りのターンを連続的に繰り返すので、滑降や大回転等の競技に比べてスキー板の撓み量が少し大きいほうがよく、そのためトウプレート１ａ、２ａとヒールプレート１ｂ、２ｂの固定間隔はやや広めにする方がよいが、その場合、親指の指先は必ずトウプレート１ａ、２ａの後端部内側に乗るようにし、母子球がトウプレート１ａ、２ａとヒールプレート１ｂ、２ｂ間の隙間の部分に乗るようにする。このようにすることで、スキーの舵取り操作性を確保することができる。
【図面の簡単な説明】
【００２２】
【図１】第１の実施例を示すスキー用プレートの平面図
【図２】スキー用プレートと足との関係を示す図
【図３】第２の実施例を示すスキー用プレートの平面図
【符号の説明】
【００２３】
１ａ  トウプレート
２ａ  トウプレート
１ｂ  ヒールプレート
２ｂ  ヒールプレート
３ａ  対向面
３ａ  対向面
４ｂ  対向面
４ｂ  対向面
５    先端
６    先端
９    指先
１０  母子球
【図１】
2008036212.tif 000003
【図２】
2008036212.tif 000004
【図３】
2008036212.tif 000005